(57)【特許請求の範囲】
【請求項１】
ネットワーク事業体により、プライマリセルおよび少なくともひとつのセカンダリセルに対し、夫々、上りリンク−下りリンク(UL/DL)構成を決定する段階と、
該UL/DL構成を、キャリアアグリゲーションに対して構成されたユーザ機器に対してブロードキャストする段階と、
該ユーザ機器に対する該プライマリセルおよび／または該少なくともひとつのセカンダリセルに対してエンハンスド干渉軽減＆トラフィック適応、すなわちeIMTA、を有効化する段階と、
eIMTAが有効化された各セルに対し、DLハイブリッド自動再送要求、すなわちHARQ、を基準としたUL/DL構成により該ユーザ機器を構成する段階と、
少なくともひとつのDL HARQ基準UL/DL構成、および、該各UL/DL構成の内の少なくともひとつ、の内のひとつ以上に基づき、該少なくともひとつのセカンダリセルに対するULおよび／またはDL HARQ確認(ACK)タイミングを導く段階と、
を備えて成り、
該ULおよび／またはDL HARQ ACKタイミングを導く該段階は、
該プライマリセルおよび該少なくともひとつのセカンダリセルに対する夫々の該DL HARQ基準UL/DL構成が同一であるか否かに従い、または、
ひとつの従事セルにおけるUL/DL構成および別の従事セルにおける該DL HARQ基準UL/DL構成が同一であるか否かに従い、
該ULおよび／またはDL HARQ ACKタイミングを決定する段階、
を備えて成り、
該プライマリセルおよび該少なくともひとつのセカンダリセルに対し、夫々のDL HARQ基準UL/DL構成が同一であるなら、又は、ひとつの従事セルにおけるUL/DL構成および別の従事セルにおける該DL HARQ基準UL/DL構成が同一であるなら、該少なくともひとつのセカンダリセルに対する該DL HARQ ACKタイミングは、Release 10のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 10のキャリアアグリゲーション規則から逸脱する、
方法。
【請求項２】
該プライマリセルおよび該少なくともひとつのセカンダリセルが、同一のUL/DL構成を有するなら、且つ、
夫々の該DL HARQ基準UL/DL構成が該プライマリセルおよび該少なくともひとつのセカンダリセルに対して同一でないなら、又は、ひとつの従事セルにおける該UL/DL構成および別の従事セルにおける該DL HARQ基準UL/DL構成が同一でないなら、
該少なくともひとつのセカンダリセルの該UL HARQ ACKタイミングは、対応セカンダリセルの該UL/DL構成に従う、
請求項１に記載の方法。
【請求項３】
該少なくともひとつのセカンダリセルに対する該DL HARQ ACKタイミングは、異なるセルにおける異なるUL/DL構成による状況に対して定義されたRelease 11のキャリアアグリゲーション規則に従って導かれるが、
該DL HARQ ACKタイミングを決定するための入力として、対応セカンダリセルの該UL/DL構成の代わりに、対応セカンダリセルの該DL HARQ基準UL/DL構成が使用されるという点においては、Release 11のキャリアアグリゲーション規則から逸脱する、
請求項２に記載の方法。
【請求項４】
該プライマリセルおよび該少なくともひとつのセカンダリセルに対する夫々のUL/DL構成が同一でないなら、且つ、該プライマリセルおよび該少なくともひとつのセカンダリセルに対して、夫々のDL HARQ基準UL/DL構成が同一であるなら、又は、
ひとつの従事セルにおける該UL/DL構成および別の従事セルにおける該DL HARQ基準UL/DL構成が同一であるなら、
該少なくともひとつのセカンダリセルに対する該UL HARQ ACKタイミングは、異なるセルにおける異なるUL/DL構成を有するRelease 11のキャリアアグリゲーションに対して定義された規則に従って導かれる、
請求項１〜３のいずれか一項に記載の方法。
【請求項５】
該少なくともひとつのセカンダリセルのDL HARQ ACKタイミングは、Release 10のキャリアアグリゲーション規則に従って導かれるが、
該DL HARQ ACKタイミングは、対応セカンダリセルのDL HARQ基準UL/DL構成に従うという点においては、Release 10のキャリアアグリゲーション規則から逸脱する、
請求項４に記載の方法。
【請求項６】
該プライマリセルおよび該少なくともひとつのセカンダリセルに対し、夫々のDL HARQ基準UL/DL構成が同一でないなら、又は、ひとつの従事セルにおける該UL/DL構成および別の従事セルにおける該DL HARQ基準UL/DL構成が同一でないなら、該少なくともひとつのセカンダリセルに対する該DL HARQ ACKタイミングは、Release 11のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 11のキャリアアグリゲーション規則から逸脱する、
請求項１〜５のいずれか一項に記載の方法。
【請求項７】
該ユーザ機器に対し、DL基準のUL/DL構成およびUL基準のUL/DL構成を決定する段階を更に備えて成る、請求項１〜６のいずれか一項に記載の方法。
【請求項８】
該対応セカンダリセルのDL HARQ ACKタイミングを導くとき、該対応セカンダリセルの該DL HARQ基準UL/DL構成は、該対応セカンダリセルの該UL/DL構成に置き換わる、請求項１〜７のいずれか一項に記載の方法。
【請求項９】
該少なくともひとつのセカンダリセルに対する該UL HARQ ACKタイミングは、該対応セカンダリセルの該UL/DL構成に従って決定される、請求項８に記載の方法。
【請求項１０】
該ユーザ機器が、時分割複信−周波数分割複信、すなわちTDD/FDD、のキャリアアグリゲーションにより構成され、且つ、該プライマリセルがTDD eIMTA可能化セルであるなら、FDD可能化されたセカンダリセルのDL HARQ ACKタイミングは、該プライマリセルの該DL HARQ基準UL/DL構成に従って決定される、請求項１〜９のいずれか一項に記載の方法。
【請求項１１】
少なくともひとつのプロセッサと、
コンピュータ・プログラム・コードを含む少なくともひとつのメモリと、
を備えて成る装置であって、
該少なくともひとつのメモリおよび該コンピュータ・プログラム・コードは、該少なくともひとつのプロセッサを以て、該装置に、少なくとも、
プライマリセルおよび少なくともひとつのセカンダリセルに対し、夫々、上りリンク−下りリンク(UL/DL)構成を決定させ、
該UL/DL構成を、キャリアアグリゲーションに対して構成されたユーザ機器に対してブロードキャストさせ、
該ユーザ機器に対する該プライマリセルおよび／または該少なくともひとつのセカンダリセルに対してエンハンスド干渉軽減＆トラフィック適応(eIMTA)を有効化させ、
eIMTAが有効化された各セルに対し、DLハイブリッド自動再送要求(HARQ)基準UL/DL構成により該ユーザ機器を構成させ、且つ、
少なくともひとつのDL HARQ基準UL/DL構成、および、該各UL/DL構成の内の少なくともひとつ、の内のひとつ以上に基づき、該少なくともひとつのセカンダリセルに対するULおよび／またはDL HARQ確認(ACK)タイミングを導かせる、
様に構成され、
該ULおよび／またはDL HARQ ACKタイミングを導く段階は、
該プライマリセルおよび該少なくともひとつのセカンダリセルに対する夫々の該DL HARQ基準UL/DL構成が同一であるか否かに従い、または、
ひとつの従事セルにおけるUL/DL構成および別の従事セルにおける該DL HARQ基準UL/DL構成が同一であるか否かに従い、
該ULおよび／またはDL HARQ ACKタイミングを決定する段階、
を備えて成り、
該プライマリセルおよび該少なくともひとつのセカンダリセルに対し、夫々のDL HARQ基準UL/DL構成が同一であるなら、又は、ひとつの従事セルにおける該UL/DL構成および別の従事セルにおける該DL HARQ基準UL/DL構成が同一であるなら、該少なくともひとつのセカンダリセルに対する該DL HARQ ACKタイミングは、Release 10のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 10のキャリアアグリゲーション規則から逸脱する、
装置。
【請求項１２】
該プライマリセルおよび該少なくともひとつのセカンダリセルが、同一のUL/DL構成を有するなら、且つ、
夫々の該DL HARQ基準UL/DL構成が該プライマリセルおよび該少なくともひとつのセカンダリセルに対して同一でないなら、又は、ひとつの従事セルにおける該UL/DL構成および別の従事セルにおける該DL HARQ基準UL/DL構成が同一でないなら、
該少なくともひとつのセカンダリセルの該UL HARQ ACKタイミングは、対応セカンダリセルの該UL/DL構成に従う、
請求項１１に記載の装置。
【請求項１３】
該少なくともひとつのセカンダリセルに対する該DL HARQ ACKタイミングは、異なるセルにおける異なるUL/DL構成による状況に対して定義されたRelease 11のキャリアアグリゲーション規則に従って導かれるが、
該DL HARQ ACKタイミングを決定するための入力として、対応セカンダリセルのUL/DL構成の代わりに、対応セカンダリセルの該DL HARQ基準UL/DL構成が使用されるという点においては、Release 11のキャリアアグリゲーション規則から逸脱する、
請求項１２に記載の装置。
【請求項１４】
該プライマリセルおよび該少なくともひとつのセカンダリセルに対する夫々のUL/DL構成が同一でないなら、且つ、該プライマリセルおよび該少なくともひとつのセカンダリセルに対して、夫々のDL HARQ基準UL/DL構成が同一であるなら、又は、
ひとつの従事セルにおける該UL/DL構成および別の従事セルにおける該DL HARQ基準UL/DL構成が同一であるなら、
該少なくともひとつのセカンダリセルに対する該UL HARQ ACKタイミングは、異なるセルにおける異なるUL/DL構成を有するRelease 11のキャリアアグリゲーションに対して定義された規則に従って導かれる、
請求項１１〜１３のいずれか一項に記載の装置。
【請求項１５】
該少なくともひとつのセカンダリセルの該DL HARQ ACKタイミングは、Release 10のキャリアアグリゲーション規則に従って導かれるが、
該DL HARQ ACKタイミングが対応セカンダリセルのDL HARQ基準UL/DL構成に従うという点においては、Release 10のキャリアアグリゲーション規則から逸脱する、
請求項１４に記載の装置。
【請求項１６】
該プライマリセルおよび該少なくともひとつのセカンダリセルに対し、夫々のDL HARQ基準UL/DL構成が同一でないなら、又は、ひとつの従事セルにおける該UL/DL構成および別の従事セルにおける該DL HARQ基準UL/DL構成が同一でないなら、該少なくともひとつのセカンダリセルに対する該DL HARQ ACKタイミングは、Release 11のキャリアアグリゲーション規則に従って導かれるが、
該DL HARQ ACKタイミングを決定するために、対応セカンダリセルの該UL/DL構成の代わりに、該対応セカンダリセルの該DL HARQ基準UL/DL構成が使用されるという点においては、Release 11のキャリアアグリゲーション規則から逸脱する、
請求項１１〜１５のいずれか一項に記載の装置。
【請求項１７】
該装置は更に、該ユーザ機器に対し、DL基準のUL/DL構成およびUL基準のUL/DL構成を決定せしめられる、請求項１１〜１６のいずれか一項に記載の装置。
【請求項１８】
対応セカンダリセルのDL HARQ ACKタイミングを導くとき、該対応セカンダリセルの該DL HARQ基準UL/DL構成は、該対応セカンダリセルの該UL/DL構成に置き換わる、請求項１１〜１７のいずれか一項に記載の装置。
【請求項１９】
該少なくともひとつのセカンダリセルに対する該UL HARQ ACKタイミングは、対応セカンダリセルの該UL/DL構成に従って決定される、請求項１８に記載の装置。
【請求項２０】
該ユーザ機器が、時分割複信−周波数分割複信、すなわちTDD/FDD、のキャリアアグリゲーションにより構成され、且つ、該プライマリセルがTDD eIMTA可能化セルであるなら、FDD可能化されたセカンダリセルのDL HARQ ACKタイミングは、該プライマリセルの該DL HARQ基準UL/DL構成に従って決定される、請求項１１〜１９のいずれか一項に記載の装置。
【請求項２１】
持続的コンピュータ可読媒体上に具現されたコンピュータ・プログラム製品であって、
プロセッサを制御することにより、
プライマリセルおよび少なくともひとつのセカンダリセルに対し、夫々、上りリンク−下りリンク(UL/DL)構成を決定する段階と、
該UL/DL構成を、キャリアアグリゲーションに対して構成されたユーザ機器に対してブロードキャストする段階と、
該ユーザ機器に対する該プライマリセルおよび／または該少なくともひとつのセカンダリセルに対してエンハンスド干渉軽減＆トラフィック適応(eIMTA)を有効化する段階と、
eIMTAが有効化された各セルに対し、DLハイブリッド自動再送要求(HARQ)を基準としたUL/DL構成により該ユーザ機器を構成する段階と、
少なくともひとつのDL HARQ基準UL/DL構成、および、該各UL/DL構成の内の少なくともひとつ、の内のひとつ以上に基づき、該少なくともひとつのセカンダリセルに対するULおよび／またはDL HARQ確認(ACK)タイミングを導く段階と、
を備えて成るプロセスを実施すべく構成され、
該ULおよび／またはDL HARQ ACKタイミングを導く該段階は、
該プライマリセルおよび該少なくともひとつのセカンダリセルに対する夫々の該DL HARQ基準UL/DL構成が同一であるか否かに従い、または、
ひとつの従事セルにおけるUL/DL構成および別の従事セルにおける該DL HARQ基準UL/DL構成が同一であるか否かに従い、
該ULおよび／またはDL HARQ ACKタイミングを決定する段階、
を備えて成り、
該プライマリセルおよび該少なくともひとつのセカンダリセルに対し、夫々のDL HARQ基準UL/DL構成が同一であるなら、又は、ひとつの従事セルにおけるUL/DL構成および別の従事セルにおける該DL HARQ基準UL/DL構成が同一であるなら、該少なくともひとつのセカンダリセルに対する該DL HARQ ACKタイミングは、Release 10のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 10のキャリアアグリゲーション規則から逸脱する、
コンピュータ・プログラム製品。
【請求項２２】
ユーザ機器により、プライマリセルおよび少なくともひとつのセカンダリセルに対し、夫々、上りリンク−下りリンク(UL/DL)構成を受信する段階と、
該ユーザ機器に対する該プライマリセルおよび／または該少なくともひとつのセカンダリセルに対してエンハンスド干渉軽減＆トラフィック適応、すなわちeIMTA、が有効化されたとの情報を受信する段階と、
動的eIMTAが有効化された各セルに対しての、DLハイブリッド自動再送要求、すなわちHARQ、を基準としたUL/DL構成の情報を受信する段階と、
少なくともひとつのDL HARQ基準UL/DL構成、および、該各UL/DL構成の内の少なくともひとつ、の内のひとつ以上に基づき、該少なくともひとつのセカンダリセルに対するULおよび／またはDL HARQ確認(ACK)タイミングを導く段階と、
を備えて成り、
該ULおよび／またはDL HARQ ACKタイミングを導く該段階は、
該プライマリセルおよび該少なくともひとつのセカンダリセルに対する夫々の該DL HARQ基準UL/DL構成が同一であるか否かに従い、または、
ひとつの従事セルにおけるUL/DL構成および別の従事セルにおける該DL HARQ基準UL/DL構成が同一であるか否かに従い、
該ULおよび／またはDL HARQ ACKタイミングを決定する段階、
を備えて成り、
該プライマリセルおよび該少なくともひとつのセカンダリセルに対し、夫々のDL HARQ基準UL/DL構成が同一であるなら、又は、ひとつの従事セルにおけるUL/DL構成および別の従事セルにおける該DL HARQ基準UL/DL構成が同一であるなら、該少なくともひとつのセカンダリセルに対する該DL HARQ ACKタイミングは、Release 10のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 10のキャリアアグリゲーション規則から逸脱する、
方法。
【請求項２３】
該プライマリセルおよび該少なくともひとつのセカンダリセルが、同一のUL/DL構成を有するなら、且つ、
夫々の該DL HARQ基準UL/DL構成が該プライマリセルおよび該少なくともひとつのセカンダリセルに対して同一でないなら、又は、ひとつの従事セルにおける該UL/DL構成および別の従事セルにおける該DL HARQ基準UL/DL構成が同一でないなら、
該少なくともひとつのセカンダリセルの該UL HARQ ACKタイミングは、対応セカンダリセルの該UL/DL構成に従う、
請求項２２に記載の方法。
【請求項２４】
該少なくともひとつのセカンダリセルに対する該DL HARQ ACKタイミングは、異なるセルにおける異なるUL/DL構成による状況に対して定義されたRelease 11のキャリアアグリゲーション規則に従って導かれるが、
該DL HARQ ACKタイミングを決定するための入力として、対応セカンダリセルの該UL/DL構成の代わりに、対応セカンダリセルの該DL HARQ基準UL/DL構成が使用されるという点においては、Release 11のキャリアアグリゲーション規則から逸脱する、
請求項２３に記載の方法。
【請求項２５】
該プライマリセルおよび該少なくともひとつのセカンダリセルに対する夫々のUL/DL構成が同一でないなら、且つ、該プライマリセルおよび該少なくともひとつのセカンダリセルに対して、夫々のDL HARQ基準UL/DL構成が同一であるなら、又は、
ひとつの従事セルにおける該UL/DL構成および別の従事セルにおける該DL HARQ基準UL/DL構成が同一であるなら、
該少なくともひとつのセカンダリセルに対する該UL HARQ ACKタイミングは、異なるセルにおける異なるUL/DL構成を有するRelease 11のキャリアアグリゲーションに対して定義された規則に従って導かれる、
請求項２２〜２４のいずれか一項に記載の方法。
【請求項２６】
該少なくともひとつのセカンダリセルのDL HARQ ACKタイミングは、Release 10のキャリアアグリゲーション規則に従って導かれるが、
該DL HARQ ACKタイミングは、対応セカンダリセルのDL HARQ基準UL/DL構成に従うという点においては、Release 10のキャリアアグリゲーション規則から逸脱する、
請求項２５に記載の方法。
【請求項２７】
該プライマリセルおよび該少なくともひとつのセカンダリセルに対し、夫々のDL HARQ基準UL/DL構成が同一でないなら、又は、ひとつの従事セルにおける該UL/DL構成および別の従事セルにおける該DL HARQ基準UL/DL構成が同一でないなら、該少なくともひとつのセカンダリセルに対する該DL HARQ ACKタイミングは、Release 11のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 11のキャリアアグリゲーション規則から逸脱する、
請求項２２〜２６のいずれか一項に記載の方法。
【請求項２８】
該ユーザ機器に対し、DL基準のUL/DL構成およびUL基準のUL/DL構成を決定する段階、を更に備えて成る、請求項２２〜２７のいずれか一項に記載の方法。
【請求項２９】
該対応セカンダリセルのDL HARQ ACKタイミングを導くとき、該対応セカンダリセルの該DL HARQ基準UL/DL構成は、該対応セカンダリセルの該UL/DL構成に置き換わる、請求項２２〜２８のいずれか一項に記載の方法。
【請求項３０】
該少なくともひとつのセカンダリセルに対する該UL HARQ ACKタイミングは、該対応セカンダリセルの該UL/DL構成に従って決定される、請求項２９に記載の方法。
【請求項３１】
該ユーザ機器が、時分割複信−周波数分割複信、すなわちTDD/FDD、のキャリアアグリゲーションにより構成され、且つ、該TDD eIMTA可能化セルがプライマリセルであるなら、FDD可能化されたセカンダリセルのDL HARQ ACKタイミングは、該プライマリセルの該DL HARQ基準UL/DL構成に従って決定される、請求項２２〜３０のいずれか一項に記載の方法。
【請求項３２】
少なくともひとつのプロセッサと、
コンピュータ・プログラム・コードを含む少なくともひとつのメモリと、
を備えて成る装置であって、
該少なくともひとつのメモリおよび該コンピュータ・プログラム・コードは、該少なくともひとつのプロセッサを以て、該装置に、少なくとも、
プライマリセルおよび少なくともひとつのセカンダリセルに対し、夫々、上りリンク−下りリンク(UL/DL)構成を受信させ、
該装置に対する該プライマリセルおよび／または該少なくともひとつのセカンダリセルに対してエンハンスド干渉軽減＆トラフィック適応、すなわちeIMTA、が有効化されたとの情報を受信させ、
eIMTAが有効化された各セルに対しての、DLハイブリッド自動再送要求、すなわちHARQ、を基準としたUL/DL構成の情報を受信させ、且つ、
少なくともひとつのDL HARQ基準UL/DL構成、および、該各UL/DL構成の内の少なくともひとつ、の内のひとつ以上に基づき、該少なくともひとつのセカンダリセルに対するULおよび／またはDL HARQ確認(ACK)タイミングを導かせる、
様に構成され、
該ULおよび／またはDL HARQ ACKタイミングを導く段階は、
該プライマリセルおよび該少なくともひとつのセカンダリセルに対する夫々の該DL HARQ基準UL/DL構成が同一であるか否かに従い、または、
ひとつの従事セルにおけるUL/DL構成および別の従事セルにおける該DL HARQ基準UL/DL構成が同一であるか否かに従い、
該ULおよび／またはDL HARQ ACKタイミングを決定する段階、
を備えて成り、
該プライマリセルおよび該少なくともひとつのセカンダリセルに対し、夫々のDL HARQ基準UL/DL構成が同一であるなら、又は、ひとつの従事セルにおけるUL/DL構成および別の従事セルにおける該DL HARQ基準UL/DL構成が同一であるなら、該少なくともひとつのセカンダリセルに対する該DL HARQ ACKタイミングは、Release 10のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 10のキャリアアグリゲーション規則から逸脱する、
装置。
【請求項３３】
該プライマリセルおよび該少なくともひとつのセカンダリセルが、同一のUL/DL構成を有するなら、且つ、
夫々の該DL HARQ基準UL/DL構成が該プライマリセルおよび該少なくともひとつのセカンダリセルに対して同一でないなら、又は、ひとつの従事セルにおける該UL/DL構成および別の従事セルにおける該DL HARQ基準UL/DL構成が同一でないなら、
該少なくともひとつのセカンダリセルの該UL HARQ ACKタイミングは、対応セカンダリセルの該UL/DL構成に従う、
請求項３２に記載の装置。
【請求項３４】
該少なくともひとつのセカンダリセルに対する該DL HARQ ACKタイミングは、異なるセルにおける異なるUL/DL構成による状況に対して定義されたRelease 11のキャリアアグリゲーション規則に従って導かれるが、
該DL HARQ ACKタイミングを決定するための入力として、対応セカンダリセルの該UL/DL構成の代わりに、対応セカンダリセルの該DL HARQ基準UL/DL構成が使用されるという点においては、Release 11のキャリアアグリゲーション規則から逸脱する、
請求項３３に記載の装置。
【請求項３５】
該プライマリセルおよび該少なくともひとつのセカンダリセルに対する夫々のUL/DL構成が同一でないなら、且つ、該プライマリセルおよび該少なくともひとつのセカンダリセルに対して、夫々のDL HARQ基準UL/DL構成が同一であるなら、又は、
ひとつの従事セルにおける該UL/DL構成および別の従事セルにおける該DL HARQ基準UL/DL構成が同一であるなら、
該少なくともひとつのセカンダリセルに対する該UL HARQ ACKタイミングは、異なるセルにおける異なるUL/DL構成を有するRelease 11のキャリアアグリゲーションに対して定義された規則に従って導かれる、
請求項３２〜３４のいずれか一項に記載の装置。
【請求項３６】
該少なくともひとつのセカンダリセルのDL HARQ ACKタイミングは、Release 10のキャリアアグリゲーション規則に従って導かれるが、
該DL HARQ ACKタイミングは、対応セカンダリセルのDL HARQ基準UL/DL構成に従うという点においては、Release 10のキャリアアグリゲーション規則から逸脱する、
請求項３５に記載の装置。
【請求項３７】
該プライマリセルおよび該少なくともひとつのセカンダリセルに対し、夫々のDL HARQ基準UL/DL構成が同一でないなら、又は、ひとつの従事セルにおける該UL/DL構成および別の従事セルにおける該DL HARQ基準UL/DL構成が同一でないなら、該少なくともひとつのセカンダリセルに対する該DL HARQ ACKタイミングは、Release 11のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 11のキャリアアグリゲーション規則から逸脱する、
請求項３２〜３６のいずれか一項に記載の装置。
【請求項３８】
該装置は更に、該ユーザ機器に対し、DL基準のUL/DL構成およびUL基準のUL/DL構成を決定せしめられる、請求項３２〜３７のいずれか一項に記載の装置。
【請求項３９】
該対応セカンダリセルのDL HARQ ACKタイミングを導くとき、該対応セカンダリセルの該DL HARQ基準UL/DL構成は、該対応セカンダリセルの該UL/DL構成に置き換わる、請求項３２〜３８のいずれか一項に記載の装置。
【請求項４０】
該少なくともひとつのセカンダリセルに対する該UL HARQ ACKタイミングは、該対応セカンダリセルの該UL/DL構成に従って決定される、請求項３９に記載の装置。
【請求項４１】
該装置が、時分割複信−周波数分割複信、すなわちTDD/FDD、のキャリアアグリゲーションにより構成され、且つ、該プライマリセルがTDD eIMTA可能化セルであるなら、FDD可能化されたセカンダリセルのDL HARQ ACKタイミングは、該プライマリセルの該DL HARQ基準UL/DL構成に従って決定される、請求項３２〜４０のいずれか一項に記載の装置。
【請求項４２】
持続的コンピュータ可読媒体上に具現されたコンピュータ・プログラム製品であって、
プロセッサを制御することにより、
ユーザ機器により、プライマリセルおよび少なくともひとつのセカンダリセルに対し、夫々、上りリンク−下りリンク(UL/DL)構成を受信する段階と、
該ユーザ機器に対する該プライマリセルおよび／または該少なくともひとつのセカンダリセルに対してエンハンスド干渉軽減＆トラフィック適応、すなわちeIMTA、が有効化されたとの情報を受信する段階と、
動的eIMTAが有効化された各セルに対しての、DLハイブリッド自動再送要求、すなわちHARQ、を基準としたUL/DL構成の情報を受信する段階と、
少なくともひとつのDL HARQ基準UL/DL構成、および、該各UL/DL構成の内の少なくともひとつ、の内のひとつ以上に基づき、該少なくともひとつのセカンダリセルに対するULおよび／またはDL HARQ確認(ACK)タイミングを導く段階と、
を備えて成るプロセスを実施すべく構成され、
該ULおよび／またはDL HARQ ACKタイミングを導く該段階は、
該プライマリセルおよび該少なくともひとつのセカンダリセルに対する夫々の該DL HARQ基準UL/DL構成が同一であるか否かに従い、または、
ひとつの従事セルにおけるUL/DL構成および別の従事セルにおける該DL HARQ基準UL/DL構成が同一であるか否かに従い、
該ULおよび／またはDL HARQ ACKタイミングを決定する段階、
を備えて成り、
該プライマリセルおよび該少なくともひとつのセカンダリセルに対し、夫々のDL HARQ基準UL/DL構成が同一であるなら、又は、ひとつの従事セルにおけるUL/DL構成および別の従事セルにおける該DL HARQ基準UL/DL構成が同一であるなら、該少なくともひとつのセカンダリセルに対する該DL HARQ ACKタイミングは、Release 10のキャリアアグリゲーション規則に従って導かれるが、
該DL HARQ ACKタイミングを決定するために、対応セカンダリセルの該UL/DL構成の代わりに、対応セカンダリセルの該DL HARQ基準UL/DL構成が使用されるという点においては、Release 10のキャリアアグリゲーション規則から逸脱する、
コンピュータ・プログラム製品。
【請求項４３】
該方法は自己スケジューリングおよびクロスキャリアスケジューリングの両方に対して適用可能である、請求項１〜１０のいずれか一項に記載の方法。
【発明の詳細な説明】
【技術分野】
【０００１】
本発明の実施例は、セカンダリセルのハイブリッド自動再送要求(HARQ)タイミングを導く方法に関する。
【背景技術】
【０００２】
ロング・ターム・エボリューション(LTE)は、新たな変調／信号処理技術を用いることにより、無線通信に対して優れた速度および容量を提供することを模索する無線通信のための規格である。上記規格は、第三世代パートナーシップ・プロジェクト(3GPP)により提案されると共に、従前のネットワーク技術に基づいている。その誕生以来、LTEは、データの通信を含む多様な状況における広範囲な発展を見てきた。
【先行技術文献】
【非特許文献】
【０００３】
【非特許文献１】“DL-UL干渉軽減＆トラフィック適応のためのLTE TDDに対する更なる機能強化(Further Enhancement to LTE TDD for DL-UL Interference Management and Traffic Adaptation)”と称された作業項目
【非特許文献２】“キャリアアグリゲーションを含むLTE TDD-FDD協調動作(LTE TDD-FDD Joint Operation including Carrier Aggregation)”と称された作業項目、3GPP, RP-131399
【非特許文献３】TS.36.213[3]
【発明の概要】
【０００４】
第一実施例に依れば、方法は、ネットワーク事業体により、プライマリセルおよび少なくともひとつのセカンダリセルに対する上りリンク−下りリンク構成を決定する段階を含み得る。上記方法はまた、上記上りリンク−下りリンク構成を、キャリアアグリゲーションに対して構成されたユーザ機器に対してブロードキャストする段階も含み得る。上記方法はまた、上記ユーザ機器に対する上記プライマリセルおよび／または上記少なくともひとつのセカンダリセルに対してエンハンスド干渉軽減＆トラフィック適応を有効化する段階も含み得る。上記方法はまた、上記エンハンスド干渉軽減＆トラフィック適応が有効化された各セルに対し、下りリンクのハイブリッド自動再送要求を基準とする上りリンク−下りリンク構成により上記ユーザ機器を構成する段階も含み得る。上記方法はまた、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導く段階も含み得る。
【０００５】
上記第一実施例の方法において、上記上りリンクおよび／または下りリンクのハイブリッド自動再送要求確認タイミングを導く上記段階は、上記プライマリセルおよび上記少なくともひとつのセカンダリセルに対する夫々の上記上りリンク−下りリンク構成が同一であるか否かに従い、上りリンクのハイブリッド自動再送要求確認タイミングを決定する段階と、上記プライマリセルおよび上記少なくともひとつのセカンダリセルに対する夫々の上記下りリンクのハイブリッド自動再送要求を基準とする上りリンク−下りリンク構成が同一であるか否か、または、ひとつの従事セルにおける上りリンク−下りリンク構成、および、別の従事セルにおける下りリンクのハイブリッド自動再送要求基準構成が同一であるか否かに従い、下りリンクのハイブリッド自動再送要求確認タイミングを決定する段階と、を備えて成る。
【０００６】
上記第一実施例の方法において、上記プライマリセルおよび上記少なくともひとつのセカンダリセルが、同一の上りリンク−下りリンク構成を有するなら、且つ、夫々の上記下りリンクのハイブリッド自動再送要求基準構成が上記プライマリセルおよび上記少なくともひとつのセカンダリセルに対して同一でないなら、上記少なくともひとつのセカンダリセルの上りリンクのスケジューリング・タイミングは、システム情報ブロック１により信号通知される上りリンク−下りリンク構成に従う。
【０００７】
上記第一実施例の方法において、上記少なくともひとつのセカンダリセルに対する上記下りリンク基準の上りリンク−下りリンク構成は、異なる上りリンク−下りリンク構成による場合に対して定義されたRelease 11のキャリアアグリゲーション規則に従って導かれる。Release 11のキャリアアグリゲーション規則と比較した唯一の例外は、上記下りリンク基準の上りリンク−下りリンク構成を決定するための入力として、システム情報ブロック１により信号通知される上りリンク−下りリンク構成の代わりに、下りリンクのハイブリッド自動再送要求基準構成が使用されることである。
【０００８】
上記第一実施例の方法において、上記プライマリセルおよび上記少なくともひとつのセカンダリセルに対し、夫々の下りリンクのハイブリッド自動再送要求基準構成が同一であるなら、物理的下りリンク共有チャネルのハイブリッド自動再送要求タイミングを決定するために、システム情報ブロック１により信号通知される上りリンク−下りリンク構成の代わりに、下りリンクのハイブリッド自動再送要求構成が使用されることを例外として、上記少なくともひとつのセカンダリセルに対するハイブリッド自動再送要求タイミングは、Release 10のキャリアアグリゲーションに従って導かれる。
【０００９】
上記第一実施例の方法において、上記プライマリセルおよび上記少なくともひとつのセカンダリセルに対する夫々の上りリンク−下りリンク構成が同一でないなら、且つ、上記プライマリセルおよび上記少なくともひとつのセカンダリセルに対して、夫々の下りリンクのハイブリッド自動再送要求基準構成が同一であるなら、上記少なくともひとつのセカンダリセルに対する上りリンク基準の上りリンク−下りリンク構成は、異なる上りリンク−下りリンク構成を有するRelease 11のキャリアアグリゲーションに対して定義された規則に従って導かれる。
【００１０】
上記第一実施例の方法において、物理的下りリンク共有チャネルのハイブリッド自動再送要求タイミングが下りリンクのハイブリッド自動再送要求基準構成に従うことを例外として、上記少なくともひとつのセカンダリセルの物理的下りリンク共有チャネルのハイブリッド自動再送要求タイミングは、Release 10の規則に従って定義される。
【００１１】
上記第一実施例の方法において、上記プライマリセルおよび上記少なくともひとつのセカンダリセルに対し、夫々の下りリンクのハイブリッド自動再送要求構成が同一でないなら、上記下りリンク基準の上りリンク−下りリンク構成を決定するために、システム情報ブロック１により信号通知される上りリンク−下りリンク構成の代わりに、下りリンクのハイブリッド自動再送要求基準構成が使用されることを例外として、上記少なくともひとつのセカンダリセルに対する上記ハイブリッド自動再送要求タイミングはRelease 11のキャリアアグリゲーションに従って導かれる。
【００１２】
上記第一実施例の方法において、該方法は更に、上記ユーザ機器に対し、下りリンク基準のハイブリッド自動再送要求の上りリンク−下りリンク構成、および、上りリンク基準のハイブリッド自動再送要求の上りリンク−下りリンク構成を決定する段階を更に含み得る。
【００１３】
上記第一実施例の方法において、上記セカンダリセルの下りリンク基準の上りリンク−下りリンク構成を導くときの規則において、下りリンクのハイブリッド自動再送要求基準構成は、システム情報ブロック１により信号通知される上りリンク−下りリンク構成に置き換わる。
【００１４】
上記第一実施例の方法において、上りリンク基準のハイブリッド自動再送要求の上りリンク−下りリンク構成は、夫々のシステム情報ブロック１により信号通知される上りリンク−下りリンク構成に従って決定される。
【００１５】
上記第一実施例の方法において、上記ユーザ機器が、時分割複信−周波数分割複信キャリアアグリゲーションにより構成され、且つ、上記時分割複信のエンハンスド干渉軽減＆トラフィック適応が有効化されたセルがプライマリセルであるなら、周波数分割複信のセカンダリセルの下りリンクのハイブリッド自動再送要求タイミングは、上記プライマリセルの下りリンクのハイブリッド自動再送要求基準構成に従って決定される。
【００１６】
第二実施例に依れば、装置は、少なくともひとつのプロセッサを含み得る。上記装置はまた、コンピュータ・プログラム・コードを含む少なくともひとつのメモリも含み得る。上記少なくともひとつのメモリおよび上記コンピュータ・プログラム・コードは、上記少なくともひとつのプロセッサを以て、上記装置に、少なくとも、プライマリセルおよび少なくともひとつのセカンダリセルに対する上りリンク−下りリンク構成を決定させる様に構成され得る。上記装置はまた、上記上りリンク−下りリンク構成を、キャリアアグリゲーションに対して構成されたユーザ機器に対してブロードキャストせしめられ得る。上記装置はまた、上記ユーザ機器に対する上記プライマリセルおよび／または上記少なくともひとつのセカンダリセルに対してエンハンスド干渉軽減＆トラフィック適応を有効化せしめられ得る。上記装置はまた、上記エンハンスド干渉軽減＆トラフィック適応が有効化された各セルに対し、下りリンクのハイブリッド自動再送要求を基準とする上りリンク−下りリンク構成により上記ユーザ機器を構成せしめられ得る。上記装置はまた、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導かせられ得る。
【００１７】
上記第二実施例の装置において、上記上りリンクおよび／または下りリンクのハイブリッド自動再送要求確認タイミングを導く上記段階は、上記プライマリセルおよび上記少なくともひとつのセカンダリセルに対する夫々の上記上りリンク−下りリンク構成が同一であるか否か、および、上記プライマリセルおよび上記少なくともひとつのセカンダリセルに対する夫々の上記下りリンクのハイブリッド自動再送要求を基準とする上りリンク−下りリンク構成が同一であるか否か、を決定する段階を含む。
【００１８】
上記第二実施例の装置において、上記プライマリセルおよび上記少なくともひとつのセカンダリセルが、同一の上りリンク−下りリンク構成を有するなら、且つ、夫々の上記下りリンクのハイブリッド自動再送要求基準構成が上記プライマリセルおよび上記少なくともひとつのセカンダリセルに対して同一でないなら、上記少なくともひとつのセカンダリセルの上りリンクのスケジューリング・タイミングは、システム情報ブロック１により信号通知される上りリンク−下りリンク構成に従う。
【００１９】
上記第二実施例の装置において、上記少なくともひとつのセカンダリセルに対する上記下りリンク基準の上りリンク−下りリンク構成は、異なる上りリンク−下りリンク構成による場合に対して定義されたRelease 11のキャリアアグリゲーション規則に従って導かれ、且つ、Release 11のキャリアアグリゲーション規則と比較した唯一の例外は、上記下りリンク基準の上りリンク−下りリンク構成を決定するための入力として、システム情報ブロック１により信号通知される上りリンク−下りリンク構成の代わりに、下りリンクのハイブリッド自動再送要求基準構成が使用されることである。
【００２０】
上記第二実施例の装置において、上記プライマリセルおよび上記少なくともひとつのセカンダリセルに対し、夫々の下りリンクのハイブリッド自動再送要求基準構成が同一であるなら、物理的下りリンク共有チャネルのハイブリッド自動再送要求タイミングを決定するために、システム情報ブロック１により信号通知される上りリンク−下りリンク構成の代わりに、下りリンクのハイブリッド自動再送要求構成が使用されることを例外として、上記少なくともひとつのセカンダリセルに対するハイブリッド自動再送要求タイミングは、Release 10のキャリアアグリゲーションに従って導かれる。
【００２１】
上記第二実施例の装置において、上記プライマリセルおよび上記少なくともひとつのセカンダリセルに対する夫々の上りリンク−下りリンク構成が同一でないなら、且つ、上記プライマリセルおよび上記少なくともひとつのセカンダリセルに対して、夫々の下りリンクのハイブリッド自動再送要求基準構成が同一であるなら、上記少なくともひとつのセカンダリセルに対する上りリンク基準の上りリンク−下りリンク構成は、異なる上りリンク−下りリンク構成を有するRelease 11のキャリアアグリゲーションに対して定義された規則に従って導かれる。
【００２２】
上記第二実施例の装置において、物理的下りリンク共有チャネルのハイブリッド自動再送要求タイミングが下りリンクのハイブリッド自動再送要求基準構成に従うことを例外として、上記少なくともひとつのセカンダリセルの物理的下りリンク共有チャネルのハイブリッド自動再送要求タイミングは、Release 10の規則に従って定義される。
【００２３】
上記第二実施例の装置において、上記プライマリセルおよび上記少なくともひとつのセカンダリセルに対し、夫々の下りリンクのハイブリッド自動再送要求構成が同一でないなら、上記下りリンク基準の上りリンク−下りリンク構成を決定するために、システム情報ブロック１により信号通知される上りリンク−下りリンク構成の代わりに、下りリンクのハイブリッド自動再送要求基準構成が使用されることを例外として、上記少なくともひとつのセカンダリセルに対する上記ハイブリッド自動再送要求タイミングはRelease 11のキャリアアグリゲーションに従って導かれる。
【００２４】
上記第二実施例の装置において、該装置は更に、上記ユーザ機器に対し、下りリンク基準のハイブリッド自動再送要求の上りリンク−下りリンク構成、および、上りリンク基準のハイブリッド自動再送要求の上りリンク−下りリンク構成を決定せしめられる。
【００２５】
上記第二実施例の装置において、上記セカンダリセルの下りリンク基準の上りリンク−下りリンク構成を導くときの規則において、下りリンクのハイブリッド自動再送要求基準構成は、システム情報ブロック１により信号通知される上りリンク−下りリンク構成に置き換わる。
【００２６】
上記第二実施例の装置において、上りリンク基準のハイブリッド自動再送要求の上りリンク−下りリンク構成は、夫々のシステム情報ブロック１により信号通知される上りリンク−下りリンク構成に従って決定される。
【００２７】
上記第二実施例の装置において、上記ユーザ機器が、時分割複信−周波数分割複信キャリアアグリゲーションにより構成され、且つ、上記時分割複信のエンハンスド干渉軽減＆トラフィック適応が有効化されたセルがプライマリセルであるなら、周波数分割複信のセカンダリセルの下りリンクのハイブリッド自動再送要求タイミングは、上記プライマリセルの下りリンクのハイブリッド自動再送要求基準構成に従って決定される。
【００２８】
第三実施例に依れば、コンピュータ・プログラム製品は、持続的コンピュータ可読媒体上に具現され得る。上記コンピュータ・プログラム製品は、プロセッサを制御することにより、ネットワーク事業体により、プライマリセルおよび少なくともひとつのセカンダリセルに対する上りリンク−下りリンク構成を決定する段階を含むプロセスを実施すべく構成され得る。上記プロセスは、上記上りリンク−下りリンク構成を、キャリアアグリゲーションに対して構成されたユーザ機器に対してブロードキャストする段階を含み得る。上記プロセスは、上記ユーザ機器に対する上記プライマリセルおよび／または上記少なくともひとつのセカンダリセルに対してエンハンスド干渉軽減＆トラフィック適応を有効化する段階も含み得る。上記プロセスは、上記エンハンスド干渉軽減＆トラフィック適応が有効化された各セルに対し、下りリンクのハイブリッド自動再送要求を基準とする上りリンク−下りリンク構成により上記ユーザ機器を構成する段階も含み得る。上記プロセスは、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導く段階も含み得る。
【００２９】
第四実施例に依れば、方法は、ユーザ機器により、プライマリセルおよび少なくともひとつのセカンダリセルに対する上りリンク−下りリンク構成を受信する段階を含み得る。上記方法はまた、上記ユーザ機器に対する上記プライマリセルおよび／または上記少なくともひとつのセカンダリセルに対して動的な時分割複信構成を有効化する段階も含み得る。上記方法はまた、動的な時分割複信構成が有効化された各セルに対し、下りリンクのハイブリッド自動再送要求を基準とする上りリンク−下りリンク構成を構成する段階も含み得る。上記方法はまた、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導く段階も含み得る。
【００３０】
上記第四実施例の方法において、上記上りリンクおよび／または下りリンクのハイブリッド自動再送要求確認タイミングを導く上記段階は、上記プライマリセルおよび上記少なくともひとつのセカンダリセルに対する夫々の上記上りリンク−下りリンク構成が同一であるか否か、および、上記プライマリセルおよび上記少なくともひとつのセカンダリセルに対する夫々の上記下りリンクのハイブリッド自動再送要求を基準とする上りリンク−下りリンク構成が同一であるか否かを決定する段階、を備えて成る。
【００３１】
上記第四実施例の方法において、上記プライマリセルおよび上記少なくともひとつのセカンダリセルが、同一の上りリンク−下りリンク構成を有するなら、且つ、夫々の上記下りリンクのハイブリッド自動再送要求基準構成が上記プライマリセルおよび上記少なくともひとつのセカンダリセルに対して同一でないなら、上記少なくともひとつのセカンダリセルの上りリンクのスケジューリングは、システム情報ブロック１により信号通知される上りリンク−下りリンク構成に従う。
【００３２】
上記第四実施例の方法において、上記少なくともひとつのセカンダリセルに対する上記下りリンク基準の上りリンク−下りリンク構成は、異なる上りリンク−下りリンク構成による場合に対して定義されたRelease 11のキャリアアグリゲーション規則に従って導かれ、且つ、Release 11のキャリアアグリゲーション規則と比較した唯一の例外は、上記下りリンク基準の上りリンク−下りリンク構成を決定するための入力として、システム情報ブロック１により信号通知される上りリンク−下りリンク構成の代わりに、下りリンクのハイブリッド自動再送要求基準構成が使用されることである。
【００３３】
上記第四実施例の方法において、上記プライマリセルおよび上記少なくともひとつのセカンダリセルに対し、夫々の下りリンクのハイブリッド自動再送要求基準構成が同一であるなら、物理的下りリンク共有チャネルのハイブリッド自動再送要求タイミングを決定するために、システム情報ブロック１により信号通知される上りリンク−下りリンク構成の代わりに、下りリンクのハイブリッド自動再送要求構成が使用されることを例外として、上記少なくともひとつのセカンダリセルに対するハイブリッド自動再送要求タイミングは、Release 10のキャリアアグリゲーションに従って導かれる。
【００３４】
上記第四実施例の方法において、上記プライマリセルおよび上記少なくともひとつのセカンダリセルに対する夫々の上りリンク−下りリンク構成が同一でないなら、且つ、上記プライマリセルおよび上記少なくともひとつのセカンダリセルに対して、夫々の下りリンクのハイブリッド自動再送要求基準構成が同一であるなら、上記少なくともひとつのセカンダリセルに対する上りリンク基準の上りリンク−下りリンク構成は、異なる上りリンク−下りリンク構成を有するRelease 11のキャリアアグリゲーションに対して定義された規則に従って導かれる。
【００３５】
上記第四実施例の方法において、物理的下りリンク共有チャネルのハイブリッド自動再送要求タイミングが下りリンクのハイブリッド自動再送要求基準構成に従うことを例外として、上記少なくともひとつのセカンダリセルの物理的下りリンク共有チャネルのハイブリッド自動再送要求タイミングは、Release 10の規則に従って定義される。
【００３６】
上記第四実施例の方法において、上記プライマリセルおよび上記少なくともひとつのセカンダリセルに対し、夫々の下りリンクのハイブリッド自動再送要求構成が同一でないなら、上記下りリンク基準の上りリンク−下りリンク構成を決定するために、システム情報ブロック１により信号通知される上りリンク−下りリンク構成の代わりに、下りリンクのハイブリッド自動再送要求基準構成が使用されることを例外として、上記少なくともひとつのセカンダリセルに対する上記ハイブリッド自動再送要求タイミングはRelease 11のキャリアアグリゲーションに従って導かれる。
【００３７】
上記第四実施例の方法において、該方法は、上記ユーザ機器に対し、下りリンク基準のハイブリッド自動再送要求の上りリンク−下りリンク構成、および、上りリンク基準のハイブリッド自動再送要求の上りリンク−下りリンク構成を決定する段階も含み得る。
【００３８】
上記第四実施例の方法において、上記セカンダリセルの下りリンク基準の上りリンク−下りリンク構成を導くときの規則において、下りリンクのハイブリッド自動再送要求基準構成は、システム情報ブロック１により信号通知される上りリンク−下りリンク構成に置き換わる。
【００３９】
上記第四実施例の方法において、上りリンク基準のハイブリッド自動再送要求の上りリンク−下りリンク構成は、夫々のシステム情報ブロック１により信号通知される上りリンク−下りリンク構成に従って決定される。
【００４０】
上記第四実施例の方法において、上記ユーザ機器が、時分割複信−周波数分割複信キャリアアグリゲーションにより構成され、且つ、上記時分割複信のエンハンスド干渉軽減＆トラフィック適応が有効化されたセルがプライマリセルであるなら、周波数分割複信のセカンダリセルの下りリンクのハイブリッド自動再送要求タイミングは、上記プライマリセルの下りリンクのハイブリッド自動再送要求基準構成に従って決定される。
【００４１】
第五実施例に依れば、装置は、少なくともひとつのプロセッサを含み得る。上記装置はまた、コンピュータ・プログラム・コードを含む少なくともひとつのメモリも含み得る。上記少なくともひとつのメモリおよび上記コンピュータ・プログラム・コードは、上記少なくともひとつのプロセッサを以て、上記装置に、少なくとも、プライマリセルおよび少なくともひとつのセカンダリセルに対する上りリンク−下りリンク構成を受信させる様に構成され得る。上記装置は、該装置に対する上記プライマリセルおよび／または上記少なくともひとつのセカンダリセルに対して動的な時分割複信構成を有効化せしめられ得る。上記装置はまた、動的な時分割複信構成が有効化された各セルに対し、下りリンクのハイブリッド自動再送要求を基準とする上りリンク−下りリンク構成を構成せしめられ得る。上記装置はまた、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導かせられ得る。
【００４２】
上記第五実施例の装置において、上記上りリンクおよび／または下りリンクのハイブリッド自動再送要求確認タイミングを導く上記段階は、上記プライマリセルおよび上記少なくともひとつのセカンダリセルに対する夫々の上記上りリンク−下りリンク構成が同一であるか否か、および、上記プライマリセルおよび上記少なくともひとつのセカンダリセルに対する夫々の上記下りリンクのハイブリッド自動再送要求を基準とする上りリンク−下りリンク構成が同一であるか否かを決定する段階を備えて成る。
【００４３】
上記第五実施例の装置において、上記プライマリセルおよび上記少なくともひとつのセカンダリセルが、同一の上りリンク−下りリンク構成を有するなら、且つ、夫々の上記下りリンクのハイブリッド自動再送要求基準構成が上記プライマリセルおよび上記少なくともひとつのセカンダリセルに対して同一でないなら、上記少なくともひとつのセカンダリセルの上りリンクのスケジューリングは、システム情報ブロック１により信号通知される上りリンク−下りリンク構成に従う。
【００４４】
上記第五実施例の装置において、上記少なくともひとつのセカンダリセルに対する上記下りリンク基準の上りリンク−下りリンク構成は、異なる上りリンク−下りリンク構成による場合に対して定義されたRelease 11のキャリアアグリゲーション規則に従って導かれ、且つ、Release 11のキャリアアグリゲーション規則と比較した唯一の例外は、上記下りリンク基準の上りリンク−下りリンク構成を決定するための入力として、システム情報ブロック１により信号通知される上りリンク−下りリンク構成の代わりに、下りリンクのハイブリッド自動再送要求基準構成が使用されることである。
【００４５】
上記第五実施例の装置において、上記プライマリセルおよび上記少なくともひとつのセカンダリセルに対し、夫々の下りリンクのハイブリッド自動再送要求基準構成が同一であるなら、物理的下りリンク共有チャネルのハイブリッド自動再送要求タイミングを決定するために、システム情報ブロック１により信号通知される上りリンク−下りリンク構成の代わりに、下りリンクのハイブリッド自動再送要求構成が使用されることを例外として、上記少なくともひとつのセカンダリセルに対するハイブリッド自動再送要求タイミングは、Release 10のキャリアアグリゲーションに従って導かれる。
【００４６】
上記第五実施例の装置において、上記プライマリセルおよび上記少なくともひとつのセカンダリセルに対する夫々の上りリンク−下りリンク構成が同一でないなら、且つ、上記プライマリセルおよび上記少なくともひとつのセカンダリセルに対して、夫々の下りリンクのハイブリッド自動再送要求基準構成が同一であるなら、上記少なくともひとつのセカンダリセルに対する上りリンク基準の上りリンク−下りリンク構成は、異なる上りリンク−下りリンク構成を有するRelease 11のキャリアアグリゲーションに対して定義された規則に従って導かれる。
【００４７】
上記第五実施例の装置において、物理的下りリンク共有チャネルのハイブリッド自動再送要求タイミングが下りリンクのハイブリッド自動再送要求基準構成に従うことを例外として、上記少なくともひとつのセカンダリセルの物理的下りリンク共有チャネルのハイブリッド自動再送要求タイミングは、Release 10の規則に従って定義される。
【００４８】
上記第五実施例の装置において、上記プライマリセルおよび上記少なくともひとつのセカンダリセルに対し、夫々の下りリンクのハイブリッド自動再送要求構成が同一でないなら、上記下りリンク基準の上りリンク−下りリンク構成を決定するために、システム情報ブロック１により信号通知される上りリンク−下りリンク構成の代わりに、下りリンクのハイブリッド自動再送要求基準構成が使用されることを例外として、上記少なくともひとつのセカンダリセルに対する上記ハイブリッド自動再送要求タイミングはRelease 11のキャリアアグリゲーションに従って導かれる。
【００４９】
上記第五実施例の装置において、該装置はまた、上記ユーザ機器に対し、下りリンク基準のハイブリッド自動再送要求の上りリンク−下りリンク構成、および、上りリンク基準のハイブリッド自動再送要求の上りリンク−下りリンク構成を決定せしめられ得る。
【００５０】
上記第五実施例の装置において、上記セカンダリセルの下りリンク基準の上りリンク−下りリンク構成を導くときの規則において、下りリンクのハイブリッド自動再送要求基準構成は、システム情報ブロック１により信号通知される上りリンク−下りリンク構成に置き換わる。
【００５１】
上記第五実施例の装置において、上りリンク基準のハイブリッド自動再送要求の上りリンク−下りリンク構成は、夫々のシステム情報ブロック１により信号通知される上りリンク−下りリンク構成に従って決定される。
【００５２】
上記第五実施例の装置において、上記ユーザ機器が、時分割複信−周波数分割複信キャリアアグリゲーションにより構成され、且つ、上記時分割複信のエンハンスド干渉軽減＆トラフィック適応が有効化されたセルがプライマリセルであるなら、周波数分割複信のセカンダリセルの下りリンクのハイブリッド自動再送要求タイミングは、上記プライマリセルの下りリンクのハイブリッド自動再送要求基準構成に従って決定される。
【００５３】
第六実施例に依れば、コンピュータ・プログラム製品は、持続的コンピュータ可読媒体上に具現され得る。上記コンピュータ・プログラム製品は、プロセッサを制御することにより、ユーザ機器により、プライマリセルおよび少なくともひとつのセカンダリセルに対する上りリンク−下りリンク構成を受信する段階を含むプロセスを実施すべく構成され得る。上記プロセスは、上記ユーザ機器に対する上記プライマリセルおよび／または上記少なくともひとつのセカンダリセルに対して動的な時分割複信構成を有効化する段階も含み得る。上記プロセスはまた、動的な時分割複信構成が有効化された各セルに対し、下りリンクのハイブリッド自動再送要求を基準とする上りリンク−下りリンク構成を構成する段階も含み得る。上記プロセスはまた、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導く段階も含み得る。
【００５４】
第七実施例に依れば、装置は、プライマリセルおよび少なくともひとつのセカンダリセルに対する上りリンク−下りリンク構成を決定する決定手段を含み得る。上記装置はまた、上記上りリンク−下りリンク構成を、キャリアアグリゲーションに対して構成されたユーザ機器に対してブロードキャストするブロードキャスト手段も含み得る。上記装置はまた、上記ユーザ機器に対する上記プライマリセルおよび／または上記少なくともひとつのセカンダリセルに対してエンハンスド干渉軽減＆トラフィック適応を有効化する有効化手段も含み得る。上記装置はまた、上記エンハンスド干渉軽減＆トラフィック適応が有効化された各セルに対し、下りリンクのハイブリッド自動再送要求を基準とする上りリンク−下りリンク構成により上記ユーザ機器を構成する構成手段も含み得る。上記装置はまた、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導く導出手段も含み得る。
【００５５】
第八実施例に依れば、装置は、プライマリセルおよび少なくともひとつのセカンダリセルに対する上りリンク−下りリンク構成を受信する受信手段を含み得る。上記装置は、上記ユーザ機器に対する上記プライマリセルおよび／または上記少なくともひとつのセカンダリセルに対して動的な時分割複信構成を有効化する有効化手段も含み得る。上記装置は、動的な時分割複信構成が有効化された各セルに対し、下りリンクのハイブリッド自動再送要求を基準とする上りリンク−下りリンク構成を構成する構成手段も含み得る。上記装置は、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導く導出手段も含み得る。
【図面の簡単な説明】
【００５６】
本発明の適切な理解のために、添付図面が参照されるべきである。
【００５７】
【図１】一実施例に係るeIMTA動作のための上りリンクおよび下りリンクのHARQタイミングを導く方法を示す図である。
【図２】一実施例に係るプライマリセルおよびセカンダリセルの物理的下りリンク共有チャネルHARQタイミングを示す図である。
【図３】一実施例に係る上りリンク／下りリンク構成を示す図である。
【図４】一実施例に係る種々の規則を示す図である。
【図５】本発明の実施例に係る方法のための論理フローチャートである。
【図６】本発明の実施例に係る方法のための論理フローチャートである。
【図７】本発明の実施例に係る装置を示す図である。
【図８】本発明の実施例に係る装置を示す図である。
【図９】本発明の実施例に係る装置を示す図である。
【図１０】本発明の実施例に係る装置を示す図である。
【図１１】本発明の実施例に係る装置を示す図である。
【図１２】本発明の実施例に係るシステムを示す図である。
【発明を実施するための形態】
【００５８】
本発明の実施例は、ユーザ機器に対し、エンハンスド干渉軽減＆トラフィック適応(enhanced-interference-management-and-traffic-adaptation)(eIMTA)およびキャリアアグリゲーション(CA)の両方が構成された場合において、セカンダリセル(Secondary Cell)のハイブリッド自動再送要求タイミングを導く方法に関する。詳細には、本発明の実施例は、eIMTAキャリアがCAの一部であることから、本発明の実施例がセカンダリセルに対してHARQタイミングを決定するという場合において、上りリンク(UL)および下りリンク(DL)基準構成を決定する。
【００５９】
時分割複信(TDD)eIMTAは、非特許文献１により記述されている。該非特許文献１のひとつの目的は、たとえば、小さな複数のセルにおいて、更に弾力的な上りリンク−下りリンク・トラフィック適応を有効化することである。
【００６０】
上記eIMTA特徴を実施することのひとつの結果は、対応する拡張ノードＢ(eNB)が、UL-DL構成が概略的に不変であるという典型的な状況展開と比較して、TDD UL-DL構成を更に頻繁に変更し得るということである。上記TDD UL-DL構成は、eIMTA特徴を用いるUEであって、弾力的UL-DLモードに対して構成されたというUEに対して変更され得る。3GPP Release 12技術においてTDD機能を向上させるeIMTA特徴は、小さなセルの環境において相当の性能利点を提供し得る。
【００６１】
eIMTAに関する上述の作業項目に加え、周波数分割複信−時分割複信(FDD-TDD)キャリアアグリゲーションに関する進行中の並行的な3GPP Release 12作業項目も在る。この並行的な作業項目は、非特許文献２である。この並行的な作業項目は、FDDセルがプライマリセル(Primary Cell)として作用するという選択肢、ならびに、TDDセルがプライマリセルとして作用するという選択肢を記述している。
【００６２】
Rel-11のキャリアアグリゲーションおよびRel-12のeIMTAの両方においてHARQおよびスケジューリング・タイミングを決定するときに、所謂る基準構成原則が適用される。基準構成の方式は、上りリンクおよび下りリンクに対し、異なるが既存である複数のTDD構成に基づいてHARQおよびスケジューリング・タイミングを適用することにより実現される。一定の状況展開に対してDLおよびULのHARQ基準構成を決定するときに適用される必要があり得る幾つかの規則が在る。主たる原則は、選択されたDL(またはUL)基準構成が、所謂る部分集合関係を満足する、ということである。たとえば、UL-DL構成Ａを含む状況に対して(Ｘと称される)DL基準構成を決定するとき、Ｘは、UL-DL構成Ａに対応するDLサブフレームが、Ｘにより定義されたDLサブフレームの部分集合を形成する、という様式で選択されねばならない。UL基準構成を決定するとき、同様の規則が適用される。
【００６３】
本発明の実施例は、ユーザ機器(UE)に対してeIMTAおよびキャリアアグリゲーションの両方が構成されたときに、セカンダリセルに対してハイブリッド自動再送要求(HARQ)タイミングを導く方法に関する。eIMTA特徴がキャリアアグリゲーション(CA)を概略的にサポートすることは合意されており、このことは、複数の従事セルにより一台のeIMTA有効化UEが構成され得ることを意味する。従事セルの各々は、eIMTAが有効化され得る。
【００６４】
Rel-10のキャリアアグリゲーションにおいて、各従事セルは、同一のUL-DL構成を有している。故に、ULおよびDLのHARQタイミングは、単一のキャリア動作と同一であり、且つ、それはまさに、Rel-8において定義されたタイミングに従うものである(すなわち、それは、SIB-1信号通知UL-DL構成に基づいて決定される)。
【００６５】
異なるUL-DL構成によるRel-11のインターバンドTDD CAにおいては、ULおよびDLのHARQタイミングを決定するために、UL基準およびDL基準のUL/DL構成が定義される。ULおよびDL基準のUL/DL構成は、各従事セルのSIB-1信号通知UL-DL構成から導かれる。
【００６６】
関連するUE挙動は、夫々、Rel-10およびRel-11のCAに対応する非特許文献３において定義されている。
【００６７】
Rel-12のeIMTAにおいて、DL HARQ基準構成はDL HARQタイミングを決定するために定義されるが、UL HARQタイミングは、SIB-1信号通知UL-DL構成に従う。故に、基本的に、関与する三つの異なる形式のUL-DL構成が在る。その理由の故に、CAによるTDD eIMTA動作に関するHARQタイミングが、明確化される必要がある。
【００６８】
二つの従事セルが同一のUL-DL構成を有するが、従事セルの一方はeIMTAが有効化されて、RRC信号により通知されたDL基準構成を有する、という場合を考える。もしRel-10のHARQタイミング動作が単純に追随されたなら、二つのセルは同一のDL HARQタイミングを有し、これは、SIB-1信号通知UL-DL構成のタイミングと同一である。故に、eIMTA有効化セルに対し、単一もしくは複数のDLサブフレームとして再構成された単一もしくは複数のULサブフレームは、HARQ-ACKフィードバックを送信するための単一もしくは複数のULサブフレーム上に対応するPUCCHリソースを有さない。基本的に、このことは、何らの改変なしでRel-10のCAのHARQ動作が単純に適用されるなら、eIMTAは実際問題として使用不能とされることを意味し、これは明らかに、CAによるeIMTA動作の設計における意図ではない。
【００６９】
幾つかの実施例に依れば、eIMTAがCAにより動作しているときにHARQタイミングを決定するためには、少なくとも二つの可能的な手法が在り得る：
手法１：各従事セルの少なくとも一方がeIMTA有効化されているなら、Rel-11のインターバンドTDD CA HARQタイミング決定方法が適用される。DL基準のUL-DL構成は、SIB-1信号通知UL-DL構成の代わりにDL HARQ基準構成に基づいて導かれ得；UL基準のUL-DL構成は、SIB-1信号通知UL-DL構成に従って決定される。
手法２：ULおよびDLのHARQタイミングが別体的に決定される。
UL HARQタイミングは、Ｐセル(PCell)およびＳセル(SCell)に対するSIB-1構成が同一であるか否かに依存して、Rel-10のCAに従い、または、Rel-11のCAに従って定義される。
DL基準構成が、Rel-10のCAに従い、または、Rel-11のCAに従い、DL HARQ動作を決定する。
ａ．各従事セルに対してDL HARQ基準構成が同一であり、または、一方のセルにおけるSIB-1信号通知UL-DL構成および他方のセルにおけるDL HARQ基準構成が同一である場合、各HARQタイミングは、PDSCH HARQタイミングを決定するために、SIB-1信号通知UL-DL構成の代わりにDL HARQ基準構成が使用されることを除き、Rel-10のCAにおけるのと同様に導かれる。
ｂ．他の場合、DL基準のUL-DL構成を決定するために、SIB-1信号通知UL-DL構成の代わりにDL HARQ基準構成が使用されることを除き、HARQタイミングはRel-11のCAにおけるのと同様に導かれる。
【００７０】
上記の二つの手法の標準的影響は僅かに異なり、手法１は、手法２と比較して少ない標準的影響を有し得る。これは、手法２において、異なる規則に基づいてHARQタイミングを導くために異なる場合を分ける必要は無い、という事実に起因する。但し、性能の観点からは、手法２は更に良好な解決策に帰着し得る；Rel-11のインターバンドTDD CAにおいて論じられた如く、もし、Rel-11のHARQタイミング決定が常に採用され、且つ、チャネル選択によりPUCCHフォーマット１ｂが構成されるなら、HARQ-ACK状態の幾つかはマッピング・テーブルにおいて重畳され得るか、または、幾つかのＰセルおよびＳセルの組み合わせに対して従事セルの一方においてバンドル・ウィンドウ・サイズはゼロであり得る。
【００７１】
以下の説明において、本発明の実施例に関連する最も適切な3GPP取決めは、以下の如く記述される。
【００７２】
RAN1#74に関し、eIMTAに対する下りリンクのHARQタイミングは、(たとえば、DL HARQ基準構成の如き)無線リソース制御(RRC)信号通知により構成された高位層TDD構成に従い得る。
【００７３】
RAN1#74bisに関し、TDD UL-DL構成｛2,4,5｝は、DL HARQ基準構成として選択され得る。同様に、以下のUE挙動は、任意の有効なULおよびDL HARQ基準構成に基づいて同意されている。上記UEは、ULサブフレームとして構成された一切のサブフレームを期待すべきでなく、また、DLサブフレームとして動的に使用されるDL HARQ基準構成における一切のスペシャル・サブフレームも期待すべきでない。
【００７４】
RAN1#75に関し、UL HARQタイミングは、システム情報ブロック１(SIB-1)により定義されたUL-DL構成に従う。eIMTAおよびキャリアアグリゲーション(CA)の両方が構成されたUEに対しては、DL HARQ基準構成#5による二つまでのコンポーネント・キャリア(CC)がサポートされ得る。
【００７５】
RAN1#76に関し、チャネル選択による物理的上りリンク制御チャネル(PUCCH)のフォーマット１ｂは、3GPPのRel-10において導入されたマッピング・テーブルと共に、TDD eIMTAに対するハイブリッド自動再送要求確認(HARQ-ACK)フィードバックに対してサポートされる。物理的上りリンク制御チャネル(PUCCH)フォーマット３は、TDD eIMTAに対するHARQ-ACKフィードバックに対してサポートされる。
【００７６】
3GPPのRelease 11まで、もし、チャネル選択によるPUCCHフォーマット１ｂ、または、PUCCHフォーマット３がDL HARQ-ACKフィードバックに対して構成されたなら、キャリアアグリゲーションを実施するためには、２種類の定義されたHARQタイミングが在った。第一の種類のHARQタイミングに関し、二つの従事セルが同一のSIB-1 UL-DL構成を有するとき、HARQおよびスケジューリング・タイミングは、両方のセルに対し、上記SIB-1 UL-DL構成に従う。第二の種類のHARQタイミングに関し、二つの従事セルが異なるSIB-1 UL-DL構成を有するとき、各従事セルに対して(ULおよびDLの)HARQおよびスケジューリング・タイミングを決定するために、DL基準のUL-DL構成およびUL基準のUL-DL構成が定義される。
【００７７】
但し、もしUEがRelease 12のTDD eIMTAにより構成されるなら、無線リソース制御(RRC)信号通知により構成されたDL HARQ基準構成は、(1)HARQおよびスケジューリング・タイミング、ならびに、(2)一群の利用可能なTDD UL-DL構成を、(3)SIB-1により定義されるセル特有のTDD UL-DL構成と共に決定する。eIMTAが使用される場合、三つの既存のTDD UL-DL構成｛2,4,5｝の内のひとつが、DL HARQ基準構成として選択され得る。図３は、一実施例に係る上りリンク／下りリンク構成を示している。
【００７８】
もしUEが、eIMTAおよびキャリアアグリゲーションにより同時に構成されるなら、上述の規則に従い使用される対応HARQおよびスケジューリング・タイミングは、問題を引き起こし得る。二つの従事セルが、SIB-1により信号通知される同一のUL-DL構成を有し得ると想定する。更に、セカンダリセルはeIMTAが有効化されている想定する。
【００７９】
キャリアアグリゲーションが使用されるとき、各コンポーネント・キャリアに対してひとつずつとされた、所定数の従事セルが在る。各従事セルのカバレッジは、たとえばコンポーネント・キャリアの周波数に依り、異なり得る。RRC接続は、ひとつのセル、すなわち、プライマリ・コンポーネント・キャリア(DLおよびULのPCC)により受け持たれたプライマリ従事セルにより取り扱われる。他方のコンポーネント・キャリアは全て、各セカンダリ従事セルを受け持つセカンダリ・コンポーネント・キャリア(DL、および、可能的にはULのSCC)と称される。
【００８０】
上述の規則を適用するときに、プライマリセル(Ｐセル)の物理的下りリンク共有チャネル(PDSCH)のHARQタイミングは、SIB-1 UL-DL構成に従うものである。他方、セカンダリセル(Ｓセル)のPDSCH HARQタイミングは、DL HARQ基準構成に従うものである。その故に、PDSCH HARQタイミングは、上記二つのセルに対して異なるものである。
【００８１】
更に、セカンダリセル(Ｓセル)のPDSCH HARQタイミングがRelease 10のキャリアアグリゲーション(CA)規則(すなわち、同一のSIB-1 UL-DL構成を使用する二つの従事セルに属する規則)に係るSIB-1 UL-DL構成に従うとしても、上記Ｓセルの弾力的(DL)サブフレームにおけるPDSCH送信は、HARQ-ACKビットを搬送するために利用可能である有効なULサブフレームを有さない。
【００８２】
可能的な問題を例示する上記の例に鑑みると、eIMTAおよびキャリアアグリゲーションが同時に使用されるとき、ＳセルのHARQタイミングを決定するためには、(SIB-1および／またはUL＆DL基準のUL-DL構成を支配する)HARQ規則およびタイミング規則が併せて考慮される必要があり得る。本発明の実施例は、ＰセルとＳセルとの間において、SIB-1信号通知UL-DL構成が異なる場合を含め、キャリアアグリゲーションと共にeIMTAをサポートするときに適用可能であるHARQタイミング規則を提供する。
【００８３】
図１は、一実施例に係るeIMTA動作のための上りリンクおよび下りリンクのHARQタイミングを導く方法を示している。本発明の実施例は、UEに対してeIMTAおよびCAの両方が構成されているならば、セカンダリセルに対してHARQタイミングを導き得る。詳細には、本発明の各実施例は、二つの解決策を含んでいる。
【００８４】
第一の解決策においては、各従事セル(ＰセルおよびＳセル)が、同一のSIB-1信号通知UL-DL構成を有し得る。
【００８５】
各従事セルが同一のSIB-1信号通知UL-DL構成を有するものとすると：
・ＰセルおよびＳセルに対する(eIMTA)DL HARQ基準構成が同一でないならば、または、(一方のみのセルが所定のDL HARQ基準構成を有する場合において)一方のセルにおけるSIB-1信号通知UL-DL構成および他方のセルにおけるDL HARQ基準構成が同一でないならば：
・一実施例において、ＳセルのULにより、ULスケジューリング／PUSCH HARQタイミングはRelease 10の規則に従う。一実施例において、ULスケジューリング／PUSCH HARQタイミングは、SIB-1信号通知UL-DL構成に従う。
・一実施例において、ＳセルのDLにより、Ｓセルに対するDL基準のUL-DL構成は、異なるUL-DL構成による場合に対して定義されたRelease 11のキャリアアグリゲーション規則に従って導かれ得る。図４は、一実施例に係る各規則を示している。一実施例において、Release 11のCA規則と比較した唯一の例外は、SIB-1信号通知UL-DL構成の代わりに(CA)DL基準のUL-DL構成を決定するための入力として、(eIMTA)DL HARQ基準構成が使用されることである。図４は、表形態にて実現された規則を示している。但し、たとえば、式によるなど、上記規則を実現する他の様式も在る。従って、図４は、まさにひとつの例示的な可能性を示している。
・その他の場合、各DL HARQ基準構成が同一であり、または、ひとつのセルにおけるSIB-1信号通知UL-DL構成および他方のセルにおけるDL HARQ基準構成が同一であるならば、PDSCH HARQタイミングを決定するために、SIB-1信号通知UL-DL構成の代わりに(eIMTA)DL HARQ基準構成が使用され得ることを除き、Release 10のキャリアアグリゲーションに従うのと同様に、Ｓセルに対してHARQタイミングが導かれる。
【００８６】
上記第一の解決策において、各従事セルは、異なるSIB-1信号通知UL-DL構成も有し得る。各従事セルが異なるSIB-1信号通知UL-DL構成を有するものとすると：
・ＰセルおよびＳセルに対してDL HARQ基準構成が同一であるなら、または、ひとつのセルにおけるSIB-1信号通知UL-DL構成および他方のセルに対して定義されたDL HARQ基準構成が同一であるならば：
・一実施例において、ＳセルのULに対し、UL基準のUL-DL構成は、異なるUL-DL構成を有するRelease 11のキャリアアグリゲーションに対して定義された規則に従って導かれる(Release 11のCAにおけるのと同様に、UL基準のUL-DL構成を決定するための入力として、SIB-1信号通知UL-DL構成が使用される)。
・一実施例において、ＳセルのDLに対し、ＳセルのPDSCH HARQタイミングはRelease 10の規則に従って定義される。たとえば、PDSCH HARQタイミングは、SIB-1 UL-DL構成の代わりに(eIMTA)DL HARQ基準構成に従うことを除き、二つの従事セルが同一のSIB-1 UL-DL構成を有する場合に対して定義された規則である。
・その他の場合、ＰセルおよびＳセルに対してDL HARQ基準構成が異なるなら、または、ひとつのセルにおけるSIB-1信号通知UL-DL構成が他方のセルにおけるDL HARQ基準構成と同一でないならば、DL基準のUL-DL構成を決定するために、SIB-1信号通知UL-DL構成の代わりに(eIMTA)DL HARQ基準構成が使用され得ることを除き、Ｓセルに対するタイミングは、Release 11のCAにおけるのと同様に導かれ得る。
【００８７】
第二の解決策において、各従事セルの少なくとも一方がeIMTA有効化されているならば、Release 11のインターバンドTDD HARQタイミング決定方法が適用され得る。ＳセルのDLに対し、(eIMTA)DL HARQ基準構成は、ＳセルのDL基準のUL-DL構成を導くときの規則における単一もしくは複数のSIB-1信号通知UL-DL構成に置き換わり得る。ＳセルのULに対し、UL基準のUL-DL構成は、SIB-1信号通知UL-DL構成に従って決定される。
【００８８】
もし、UEがTDD-FDD CAにより構成され、且つ、TDD eIMTA有効化セルがプライマリセルならば、FDDセカンダリセルのDL HARQタイミングは、ＰセルのDL HARQ基準構成に従って決定される。
【００８９】
本発明の各実施例は、自己スケジューリングを使用する技術、および、クロスキャリアスケジューリングを使用する技術を応用し得る。
【００９０】
本発明の一実施例において、eNBの機能は以下の各段階を含み得る。上記eNBは、Ｐセルおよび／またはＳセルに対してSIB-1 UL-DL構成を決定し得る。上記eNBは次に、上記構成を、対応セルにおける各UEに対してブロードキャストし得る。上記eNBは、RRC構成を介して所定のUEに対するＰセルおよび／またはＳセルに対してeIMTAを有効化し得ると共に、上記eNBは、DL HARQ基準UL-DL構成により上記UEを構成もし得る。上記eNBは、SIB-1 UL-DL構成に依存してＳセルに対するHARQ-ACKタイミングを導き得ると共に、前述の第一および第二の解決策に従い特定された規則に基づいてDL HARQ基準構成を決定し得る。上記eNBは、導かれたタイミングに従い、PUCCHまたはPUSCH上でHARQ-ACKフィードバックを受信し得る。
【００９１】
本発明の他の実施例において、UEの機能は、以下の各段階を含み得る。上記UEは、Ｐセルおよび／またはＳセルに対するUL-DL構成を受信し得る。上記UEは、RRC信号通知により、Ｐセルおよび／またはＳセルに対してeIMTAが有効化され得ると共に、上記UEは、eIMTAが有効化された各セルに対するDL HARQ基準UL-DL構成により構成され得る。そのときに上記UEは、SIB-1 UL-DL構成に依存してＳセルに対するHARQ-ACKタイミングを、且つ、前述の第一および第二の解決策に従い特定された規則に基づいてDL HARQ基準構成を導き得る。上記UEは次に、決定されたタイミングに従い、PUCCHまたはPUSCH上でHARQ-ACKフィードバックを送信し得る。
【００９２】
eIMTAがRelease 10またはRelease 11のキャリアアグリゲーションを以て動作されている場合、ＳセルのHARQタイミング発行を導く方法が必要とされ得る。図１に示された如く、本発明の各実施例は、全ての可能的な組み合わせに対する完全な解決策を提供し得る。
【００９３】
前述された如く、各従事セルが、SIB-1により信号通知される同一のUL-DL構成を有するが、異なる(eIMTA)DL HARQ基準構成を有するならば、Release 10のキャリアアグリゲーション基準に依ると、従事セルのPDSCH HARQタイミングはまさに、SIB-1構成に従う。しかし、各従事セルにおける実際のPDSCH HARQタイミングは異なり、このことは、幾つかのＳセルのPDSCH送信に対しては、PUCCH送信によるULサブフレームが利用可能でないなどの、HARQフィードバックの問題を引き起こし得る。換言すると、eIMTAにおいて単一もしくは複数のULサブフレームから変化する幾つかのDLサブフレームは、スケジューリングされないこともある。その故に、eIMTAの性能向上が喪失され得る。
【００９４】
図２は、一実施例に係るプライマリセルおよびセカンダリセルの物理的下りリンク共有チャネルHARQタイミングを示している。ＰセルおよびＳセルは同一のUL-DL構成＃１を有し得るが、ＳセルはeIMTAが有効化され得ると共に、DL HARQ基準構成は構成＃５であり得る。もしＳセルの構成がUL-DL構成＃２へと変化したなら、サブフレーム＃３および＃８はDLサブフレームへと変化する。もし、PDSCH HARQタイミングが、たとえば構成＃１などのRelease 10のCAに係るSIB-1構成に従うなら、DLサブフレーム＃３および＃８は概略的にスケジューリングされ得ない、と言うのも、これらのサブフレームは、SIB-1構成に依ればULサブフレームだからである。Ｓセルが(eIMTA動作に従い)動的に構成＃５に変更され得ると仮定すると、全ての弾力的なサブフレーム(＃３，＃７，＃８)が、概略的にスケジューリングされ得ない。ＳセルのeIMTAは使用不能となり得る。
【００９５】
上記第一の解決策を参照すると、本発明の幾つかの実施例は、インターバンドCAと同様の様式で動作し得る。たとえば、各従事セルは、下りリンクにおいて異なるUL-DL構成を有し得る。DL基準のUL-DL構成は、DL HARQ基準構成に従って決定され得、Ｓセルに対するDL基準のUL-DL構成は、たとえば、Ｓセルに対するDL基準のUL-DL構成が自己スケジューリングのために構成＃５であるという(1,5)などの、(プライマリセルのUL-DL構成−セカンダリセルのDL HARQ基準構成)により形成された対に基づき得る。上記第一の解決策に依れば、ＳセルのPDSCH HARQタイミングは構成＃５に従い、このことは、全ての弾力的なサブフレームがスケジューリングされ得ると共に、eIMTAの性能向上が、キャリアアグリゲーションの場合においても十分に実現可能であることを意味する。
【００９６】
この例において、UL基準のUL-DL構成は、たとえば、構成＃１などの、SIB-1構成により定義されたULスケジューリング／PUSCH HARQタイミングと同一であり得る。その故に、本発明の実施例は、UL側に何らの影響も有さない。
【００９７】
本発明の各実施例において、各従事セルの少なくともひとつがeIMTA有効化されたとき、チャネル選択によるPUCCHフォーマット１ｂにより、または、PUCCHフォーマット３により、HARQ-ACKフィードバックが正しく報告され得る。
【００９８】
もし、UEがeIMTAおよびTDD-FDD CAにより構成されるとしても、本発明の実施例によれば両方の機能が適切に動作し得ると共に、eIMTAの性能向上は、提案された解決策により完全に実現され得る。
【００９９】
本発明の各実施例を実現すると、規格に対する僅かな影響に帰着し得るが、概略的には、新たなHARQ設計は何ら必要としない。本発明の各実施例は、Release 10およびRelease 11のキャリアアグリゲーションに対して後方互換的であり得る。
【０１００】
図５は、本発明の幾つかの実施例に係る方法の論理フローチャートを示している。図５に示された方法は、510において、ネットワーク事業体により、プライマリセルおよび少なくともひとつのセカンダリセルに対する上りリンク−下りリンク構成を決定する段階を含む。上記方法はまた、520において、上記上りリンク−下りリンク構成をユーザ機器に対してブロードキャストする段階も含む。上記ユーザ機器は、キャリアアグリゲーションに対して構成される。上記方法はまた、530において、上記ユーザ機器に対する上記プライマリセルおよび／または上記少なくともひとつのセカンダリセルに対して動的な時分割複信構成を有効化する段階も含む。上記方法はまた、540において、上記動的な時分割複信構成が有効化された各セルに対し、下りリンクのハイブリッド自動再送要求を基準とする上りリンク−下りリンク構成により、上記ユーザ機器を構成する段階も含んでいる。上記方法はまた、550において、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対し、上りリンクおよび／または下りリンクのハイブリッド自動再送要求確認タイミングを導く段階も含んでいる。
【０１０１】
図６は、本発明の幾つかの実施例に係る方法の論理フローチャートを示している。図６に示された方法は、610において、プライマリセルおよび少なくともひとつのセカンダリセルに対する上りリンク−下りリンク構成を受信する段階を含んでいる。上記方法は、620において、ユーザ機器に対する上記プライマリセルおよび／または上記少なくともひとつのセカンダリセルに対して動的な時分割複信構成を有効化する段階を含む。上記方法はまた、630において、動的な時分割複信構成が有効化された各セルに対し、下りリンクのハイブリッド自動再送要求を基準とする上りリンク−下りリンク構成を構成する段階も含んでいる。上記方法はまた、640において、少なくともひとつの構成された上りリンク−下りリンク構成と、少なくともひとつの下りリンクのハイブリッド自動再送要求を基準とする上りリンク−下りリンク構成とに基づき、上記少なくともひとつのセカンダリセルに対する上りリンクおよび／または下りリンクのハイブリッド自動再送要求確認タイミングを導く段階も含んでいる。
【０１０２】
図７は、本発明の実施例に係る装置10を示している。装置10は、たとえば、UEの如き受信デバイスであり得る。他の実施例において、装置10は、たとえば、eNBおよび／または基地局であり得る。
【０１０３】
装置10は、情報を処理し且つ命令もしくは動作を実行するプロセッサ22を含み得る。プロセッサ22は、任意の形式の汎用または専用のプロセッサであり得る。図７には単一のプロセッサ22が示されるが、他の実施例に依れば複数のプロセッサが利用され得る。プロセッサ22はまた、例として、汎用コンピュータ、専用コンピュータ、マイクロプロセッサ、デジタル信号プロセッサ(DSP)、フィールド・プログラマブル・ゲート・アレイ(FPGA)、特定用途集積回路(ASIC)、および、マルチコア・プロセッサ構造に基づくプロセッサの内のひとつ以上を含み得る。
【０１０４】
装置10は更に、プロセッサ22に結合されて、情報と、該プロセッサ22により実行され得る命令とを記憶するメモリ14を含み得る。該メモリ14は、ひとつ以上のメモリであり且つローカルのアプリケーション環境に適切である任意の形式であり得ると共に、該メモリは、半導体系のメモリデバイス、磁気的なメモリデバイスおよびシステム、光学的なメモリデバイスおよびシステム、固定メモリ、および、着脱自在なメモリの如き、任意の適切な揮発性もしくは不揮発性のデータ記憶技術を用いて実現され得る。たとえば、メモリ14は、ランダム・アクセス・メモリ(RAM)、読出専用メモリ(ROM)、磁気的または光学的なディスクの如き静的記憶装置、または、他の任意の形式の持続的なマシンもしくはコンピュータ可読媒体の内の任意の組合せで構築され得る。メモリ14内に記憶された命令は、プロセッサ22により実行されたときに装置10が本明細書中に記述された機能を実施することを可能とするプログラム命令またはコンピュータ・プログラム・コードを含み得る。
【０１０５】
装置10はまた、該装置10に対して信号および／またはデータを送受信する(不図示の)ひとつ以上のアンテナも含み得る。装置10は更に、単一もしくは複数のアンテナによる送信のためにキャリア波形上に情報を変調する送受信機28であって、単一もしくは複数のアンテナを介して受信した情報を、該装置10の他の要素による更なる処理のために復調するという送受信機28を含み得る。他の実施例において、送受信機28は、信号またはデータを直接的に送信および受信し得る。
【０１０６】
プロセッサ22は、装置10の動作に付随する機能であって、限定的なものとしてで無く、アンテナ利得／位相パラメータの事前コード化、通信メッセージを形成する個々のビットの符号化および復号化、情報のフォーマット化、および、通信リソースの管理に関連する処理などの装置10の全体的制御などの機能を実施し得る。
【０１０７】
幾つかの実施例において、メモリ14は、プロセッサ22により実行されたときに機能性を提供するソフトウェア・モジュールを記憶する。各モジュールは、装置10に対するオペレーティング・システム機能性を提供するオペレーティング・システム15を含み得る。上記メモリはまた、アプリケーションまたはプログラムの如きひとつ以上の機能的モジュール18も記憶し得る。装置10の各構成要素は、ハードウェアにおいて、または、ハードウェアおよびソフトウェアの任意の適切な組み合わせとして実現され得る。
【０１０８】
図８は、本発明の他の実施例に係る装置800を示している。装置800は、たとえば、基地局および／またはeNBであり得る。装置800は、プライマリセルおよび少なくともひとつのセカンダリセルに対する上りリンク−下りリンク構成を決定する決定ユニット801を含み得る。装置800はまた、上記上りリンク−下りリンク構成をユーザ機器に対してブロードキャストするブロードキャスト・ユニット802も含んでいる。上記ユーザ機器は、キャリアアグリゲーションに対して構成される。装置800はまた、上記ユーザ機器に対する上記プライマリセルおよび／または上記少なくともひとつのセカンダリセルに対する動的な時分割複信構成を有効化する有効化ユニット803も含んでいる。装置800はまた、動的な時分割複信構成が有効化された各セルに対し、下りリンクのハイブリッド自動再送要求を基準とする上りリンク−下りリンク構成によりユーザ機器を構成する構成ユニット804も含んでいる。装置800はまた、少なくともひとつの構成された上りリンク−下りリンク構成と、少なくともひとつの下りリンクのハイブリッド自動再送要求を基準とする上りリンク−下りリンク構成と、に基づいて、上記少なくともひとつのセカンダリセルに対し、上りリンクおよび／または下りリンクのハイブリッド自動再送要求確認タイミングを導く導出ユニット805も含んでいる。
【０１０９】
図９は、本発明の他の実施例に係る装置900を示している。装置900は、たとえば、ユーザ機器であり得る。装置900は、プライマリセルおよび少なくともひとつのセカンダリセルに対する上りリンク−下りリンク構成を受信する受信ユニット901を含み得る。装置900はまた、該装置900に対する上記プライマリセルおよび／または上記少なくともひとつのセカンダリセルに対する動的な時分割複信構成を有効化する有効化ユニット902も含み得る。装置900はまた、動的な時分割複信構成が有効化された各セルに対し、下りリンクのハイブリッド自動再送要求を基準とする上りリンク−下りリンク構成を構成する構成ユニット903も含み得る。装置900はまた、少なくともひとつの構成された上りリンク−下りリンク構成と、少なくともひとつの下りリンクのハイブリッド自動再送要求を基準とする上りリンク−下りリンク構成と、に基づいて、上記少なくともひとつのセカンダリセルに対し、上りリンクおよび／または下りリンクのハイブリッド自動再送要求確認タイミングを導く導出ユニット904も含んでいる。
【０１１０】
図１０は、本発明の他の実施例に係る装置1000を示している。装置1000は、たとえば、基地局および／またはeNBであり得る。装置1000は、プライマリセルおよび少なくともひとつのセカンダリセルに対する上りリンク−下りリンク構成を決定する決定手段1001を含み得る。装置1000はまた、上記上りリンク−下りリンク構成をユーザ機器に対してブロードキャストするブロードキャスト手段1002も含んでいる。上記ユーザ機器は、キャリアアグリゲーションに対して構成される。装置1000はまた、上記ユーザ機器に対する上記プライマリセルおよび／または上記少なくともひとつのセカンダリセルに対する動的な時分割複信構成を有効化する有効化手段1003も含んでいる。装置1000はまた、動的な時分割複信構成が有効化された各セルに対し、下りリンクのハイブリッド自動再送要求を基準とする上りリンク−下りリンク構成によりユーザ機器を構成する構成手段1004も含んでいる。装置1000はまた、少なくともひとつの構成された上りリンク−下りリンク構成と、少なくともひとつの下りリンクのハイブリッド自動再送要求を基準とする上りリンク−下りリンク構成と、に基づいて、上記少なくともひとつのセカンダリセルに対し、上りリンクおよび／または下りリンクのハイブリッド自動再送要求確認タイミングを導く導出手段1005も含んでいる。
【０１１１】
図１１は、本発明の他の実施例に係る装置1100を示している。装置1100は、たとえば、基地局および／またはeNBであり得る。装置1100は、プライマリセルおよび少なくともひとつのセカンダリセルに対する上りリンク−下りリンク構成を受信する受信手段1101を含み得る。装置1100はまた、該装置1100に対する上記プライマリセルおよび／または上記少なくともひとつのセカンダリセルに対する動的な時分割複信構成を有効化する有効化手段1102も含んでいる。装置1100はまた、動的な時分割複信構成が有効化された各セルに対し、下りリンクのハイブリッド自動再送要求を基準とする上りリンク−下りリンク構成を構成する構成手段1103も含んでいる。装置1100はまた、少なくともひとつの構成された上りリンク−下りリンク構成と、少なくともひとつの下りリンクのハイブリッド自動再送要求を基準とする上りリンク−下りリンク構成と、に基づいて、上記少なくともひとつのセカンダリセルに対し、上りリンクおよび／または下りリンクのハイブリッド自動再送要求確認タイミングを導く導出手段1104も含んでいる。
【０１１２】
図１２は、本発明の実施例に係るシステムを示している。該システム1200は、プライマリセルおよび少なくともひとつのセカンダリセルに対する上りリンク−下りリンク構成を決定する決定ユニット1202を含む第一装置1201を含み得る。第一装置1201はまた、上記上りリンク−下りリンク構成を第二装置1207に対してブロードキャストするブロードキャスト・ユニット1203も含んでいる。第二装置1207は、キャリアアグリゲーションに対して構成される。第一装置1201はまた、第二装置1207に対する上記プライマリセルおよび／または上記少なくともひとつのセカンダリセルに対する動的な時分割複信構成を有効化する有効化ユニット1204も含んでいる。第一装置1201はまた、動的な時分割複信構成が有効化された各セルに対し、下りリンクのハイブリッド自動再送要求を基準とする上りリンク−下りリンク構成により第二装置1207を構成する構成ユニット1205も含んでいる。第一装置1201はまた、少なくともひとつの構成された上りリンク−下りリンク構成と、少なくともひとつの下りリンクのハイブリッド自動再送要求を基準とする上りリンク−下りリンク構成と、に基づいて、上記少なくともひとつのセカンダリセルに対し、上りリンクおよび／または下りリンクのハイブリッド自動再送要求確認タイミングを導く導出ユニット1206も含んでいる。システム1200は、上記プライマリセルおよび上記少なくともひとつのセカンダリセルに対する上りリンク−下りリンク構成を受信する受信ユニット1208を含み得る第二装置1207も含み得る。第二装置1207はまた、ユーザ機器に対する上記プライマリセルおよび／または上記少なくともひとつのセカンダリセルに対する動的な時分割複信構成を有効化する有効化ユニット1209も含んでいる。第二装置1207はまた、動的な時分割複信構成が有効化された各セルに対し、下りリンクのハイブリッド自動再送要求を基準とする上りリンク−下りリンク構成を構成する構成ユニット1210も含んでいる。第二装置1207はまた、少なくともひとつの構成された上りリンク−下りリンク構成と、少なくともひとつの下りリンクのハイブリッド自動再送要求を基準とする上りリンク−下りリンク構成と、に基づいて、上記少なくともひとつのセカンダリセルに対し、上りリンクおよび／または下りリンクのハイブリッド自動再送要求確認タイミングを導く導出ユニット1211も含んでいる。
【０１１３】
本発明の記述された特徴、利点および特性は、ひとつ以上の実施例において任意の適切な様式で組み合わされ得る。当業者であれば、本発明は、特定実施例の特徴または利点のひとつ以上なしで実施され得ることを理解し得よう。他の場合、幾つかの実施例においては、本発明の全ての実施例には存在しない付加的な特徴および利点が認識され得る。当業者であれば、上記で論じられた発明は、異なる順序の段階を以て、および／または、開示されたのとは異なる構成のハードウェア要素を以て実施され得ることを容易に理解し得よう。故に、本発明はこれらの好適実施例に基づいて記述されてきたが、当業者であれば、本発明の精神および有効範囲内に留まり乍ら、一定の改変、変更および代替的構成が明らかなことは明らかであろう。
【符号の説明】
【０１１４】
10    装置
14    メモリ
15    オペレーティング・システム
18    機能的モジュール
22    プロセッサ
28    送受信機
800    装置
801    決定ユニット
802    ブロードキャスト・ユニット
803    有効化ユニット
804    構成ユニット
805    導出ユニット
900    装置
901    受信ユニット
902    有効化ユニット
903    構成ユニット
904    導出ユニット
1000    装置
1001    決定手段
1002    ブロードキャスト手段
1003    有効化手段
1004    構成手段
1005    導出手段
1100    装置
1101    受信手段
1102    有効化手段
1103    構成手段
1104    導出手段
1200    システム
1201    第一装置
1202    決定ユニット
1203    ブロードキャスト・ユニット
1204    有効化ユニット
1205    構成ユニット
1206    導出ユニット
1207    第二装置
1208    受信ユニット
1209    有効化ユニット
1210    構成ユニット
1211    導出ユニット
【図１】
0006480465.tif 000002
【図２】
0006480465.tif 000003
【図３】
0006480465.tif 000004
【図４】
0006480465.tif 000005
【図５】
0006480465.tif 000006
【図６】
0006480465.tif 000007
【図７】
0006480465.tif 000008
【図８】
0006480465.tif 000009
【図９】
0006480465.tif 000010
【図１０】
0006480465.tif 000011
【図１１】
0006480465.tif 000012
【図１２】
0006480465.tif 000013